(57)【要約】【課題】水切りの際に、付着した水滴の除去と同時に、水切りの対象となる面に抗菌作用または抗カビ作用のうち少なくともいずれか一方を付与し、作業のさらなる効率化が図られる水切りワイパーを提供する。【解決手段】水切りワイパー１０は、基体１１と、水切り部材１２とを備える。水切り部材１２は、基体１１の長手方向に沿って設けられている。水切り部材１２は、弾性を有する本体２１と、本体２１に含まれ抗菌作用または抗カビ作用のうち少なくともいずれか一方を有する機能剤２２と、を有する。これにより、対象となる面の水切りをする際に、水切り部材１２に含まれる機能剤２２は、対象となる面に移行する。【選択図】図１
2020110225.tif 000002
【特許請求の範囲】
【請求項１】
基体と、
前記基体の長手方向に沿って設けられている水切り部材と、を備え、
前記水切り部材は、
弾性を有する本体と、
前記本体に含まれ、抗菌作用または抗カビ作用のうち少なくともいずれか一方を有する機能剤と、
を有する水切りワイパー。
【請求項２】
前記水切り部材は、前記本体に含まれ、撥水作用を有する撥水剤をさらに有する請求項１記載の水切りワイパー。
【請求項３】
前記水切り部材は、前記基体から着脱可能である請求項１または２記載の水切りワイパー。
【請求項４】
前記機能剤は、抗菌剤または抗カビ剤のうち少なくともいずれか一方を含み、
前記抗菌剤または前記抗カビ剤のうち少なくともいずれか一方は、無機材料で形成されている担体に金属イオンが担持されている請求項１から３のいずれか一項記載の水切りワイパー。
【発明の詳細な説明】
【技術分野】
【０００１】
本発明は、付着した水滴を除去する水切りワイパーに関する。
【背景技術】
【０００２】
従来、例えば床、壁、天井、窓などの家屋の各所は、清掃時において水などの液体を用いて洗浄した場合、拭き取りに先立ってワイパーによって水切りされることがある。ワイパーによる水切りは、洗浄後における拭き取り作業が容易になるという利点がある。家屋の他にも、車両や屋外の設備なども、水で洗浄した後に水切りを行なうことで拭き取りが容易になる。
【先行技術文献】
【特許文献】
【０００３】
【特許文献１】特開２０００−１１８３６１号公報
【特許文献２】特開２０００−１３６１０７号公報
【発明の概要】
【発明が解決しようとする課題】
【０００４】
水切りの際に、付着した水滴の除去と同時に、水切りの対象となる面に抗菌作用または抗カビ作用のうち少なくともいずれか一方を付与し、作業のさらなる効率化が図られる水切りワイパーを提供することを目的とする。
【課題を解決するための手段】
【０００５】
上記の課題を解決するために、本実施形態の水切りワイパーは、水切り部材に機能剤を含んでいる。機能剤は、抗菌作用または抗カビ作用のうち少なくともいずれか一方を有しており、水切り対象とする面を水切りする際に、水切り部材から対象とする面に移行する。これにより、水切りワイパーを用いて水切り対象とする面の水切りを行なう際に、水切り部材に含まれる機能剤はこの対象とする面に塗布される。その結果、水切りの対象となった面は、水滴の除去の際に、抗菌作用または抗カビ作用のうち少なくともいずれか一方が付与される。したがって、対象となる面の水滴の除去という作業と同時に、抗菌作用または抗カビ作用のうち少なくともいずれか一方の付与までも行なうことができ、作業のさらなる効率化を図ることができる。
【図面の簡単な説明】
【０００６】
【図１】一実施形態による水切りワイパーの模式的な斜視図
【図２】一実施形態による水切りワイパーの他の形態を示す模式的な正面図
【図３】一実施形態による水切りワイパーの水切り部材を示す模式図
【発明を実施するための形態】
【０００７】
以下、水切りワイパーの一実施形態を図面に基づいて説明する。
図１に示すように実施形態による水切りワイパー１０は、基体１１および水切り部材１２を備えている。図１に示す例の場合、水切りワイパー１０は、水切り部材１２の取り扱いを容易にするための把持部１３を備えている。把持部１３は、棒状または筒状に伸びており、先端に基体１１が設けられている。また、水切りワイパー１０は、図２に示すような略環状の把持部１３を備え、この把持部１３の端部に基体１１を設ける構成としてもよい。これら図１および図２に示す水切りワイパー１０の構成は一例であり、水切りワイパー１０は把持部１３および基体１１の形状や構成を任意に設定することができる。
【０００８】
水切り部材１２は、基体１１の長手方向に沿って設けられている。水切り部材１２は、基体１１と一体に形成してもよく、基体１１から着脱して交換可能な構成としてもよい。水切り部材１２は、その全体を構成する本体２１を有している。本体２１は、例えばエラストマーなどのように弾性を有する樹脂で形成されている。本体２１は、エラストマーに限らず、例えば合成ゴム、天然ゴムなどの弾性を有する樹脂系の材料であれば任意に適用することができる。
【０００９】
水切り部材１２は、図３に示すようにこの本体２１に含まれる機能剤２２および撥水剤２３を有している。すなわち、機能剤２２および撥水剤２３は、本体２１を構成する樹脂に含まれている。機能剤２２は、抗菌作用または抗カビ作用のうち少なくともいずれか一方を発揮する各種の物質で構成されている。機能剤２２は、例えば担体に担持されている金属イオンを有している。この場合、金属イオンは、抗菌作用または抗カビ作用のうち少なくともいずれか一方を発揮する銀イオン、亜鉛イオンおよび銅イオンなどが用いられる。銀イオンは、硝酸銀、酢酸銀、硫酸銀、塩素酸銀、ジアンミン銀（Ｉ）錯体、ジチオスルファト銀錯体およびジシアノ銀（Ｉ）錯体などの銀イオン供給源として担体に担持されている。また、担体は、ゼオライト、リン酸ジルコニウム、リン酸カルシウム、ケイ酸カルシウム、ケイ酸アルミン酸マグネシウム、カルシウムアパタイト、チタン酸カリウム、酸化チタン、チオサルファイト、シリカゲル、シリカアルミナ、溶解性ガラスなどのうち１種類以上が用いられる。担体は、銀イオン供給源のうちいずれか１種類以上の銀イオン供給源を担持している。さらに、機能剤２２は、例えば有機系の抗菌作用または抗カビ作用のうち少なくともいずれか一方を発揮する物質を用いてもよい。この場合、機能剤２２は、例えばメチルイソチアゾリノン、クロロメチルイソチアゾリノン、ベンズイソチアゾリノンなどのイソチアゾロン系化合物、イソプロピルメチルフェノールなどのアルキルフェノール系化合物、ビフェニル、オルトフェニルフェノールなどのビフェニル系化合物、チアベンダゾール、カルベンダジムなどのベンダイミダゾール系化合物、エニルコナゾールなどのイミダゾール系化合物、シプロコナゾール、ヘキサコナゾールなどのトリアゾール系化合物、ポリヘキサメチレンビグアナイドなどのグアニジン系化合物、メチレンビスチオシアネートなどのチオシアネート系化合物、ミコナゾール、エフィナコナゾール、イトラコナゾール、フルコナゾールなどのアゾール系化合物などのうち１種類以上の物質が用いられる。これにより、水切り部材１２は、本体２１の全体に抗菌作用または抗カビ作用の少なくともいずれか一方を発揮する１種類以上の機能剤２２を含んでいる。なお、本体２１は、単独で抗菌作用および抗カビ作用の双方を有する物質を含んでいてもよい。
【００１０】
撥水剤２３は、シリコーンなどのケイ素化合物、またはフッ素樹脂などのフッ素化合物を有している。本体２１は、このケイ素化合物またはフッ素化合物のいずれか１種類以上を全体に含んでいる。これにより、水切り部材１２は、本体２１の全体に撥水剤２３を含んでいる。
【００１１】
水切り部材１２は、例えば本体２１を構成するエラストマーなどの樹脂に、機能剤２２および撥水剤２３を練り込むことによって、機能剤２２および撥水剤２３が含まれる。すなわち、機能剤２２および撥水剤２３は、本体２１となる樹脂が成形される前に、本体２１の材料となる樹脂に混練される。機能剤２２および撥水剤２３が混練された樹脂は、本体２１として成形される。これにより、水切り部材１２は、本体２１に機能剤２２および撥水剤２３が含まれる。また、水切り部材１２は、本体２１となる樹脂に機能剤２２および撥水剤２３を塗布することによって、機能剤２２および撥水剤２３を含む構成としてもよい。
【００１２】
以上説明したように、一実施形態の水切りワイパー１０は、水切り部材１２に機能剤２２および撥水剤２３が含まれている。機能剤２２は、水切り対象とする面を水切りする際に、水切り部材１２から対象とする面に移行する。同様に、撥水剤２３は、水切り対象とする面を水切りする際に、水切り部材１２から対象とする面に移行する。これにより、水切り部材１２に含まれる機能剤２２および撥水剤２３は、水切りワイパー１０を用いて水切り対象とする面の水切りを行なう際に、この対象とする面に塗布される。その結果、水切りの対象となった面は、水滴の除去の際に、抗菌作用または抗カビ作用のうち少なくともいずれか一方が付与されるとともに、撥水性が付与される。したがって、対象となる面の水滴の除去という作業と同時に、抗菌作用、抗カビ作用および撥水作用の付与までも行なうことができ、作業のさらなる効率化を図ることができる。
【００１３】
また、一実施形態による水切りワイパー１０は、水切り部材１２を、基体１１から着脱可能とすることができる。このように、水切り部材１２を基体１１から着脱可能にすることにより、水切り部材１２による水切り作業の繰り返しによって、本体２１に摩耗が生じると、水切り部材１２は容易に交換される。また、本体２１に含まれる機能剤２２および撥水剤２３は、水切りにともなう壁への繰り返しの塗布によって、徐々に減少し、効果の低下を招く。水切り部材１２を交換可能とすることにより、本体２１の摩耗や機能剤２２および撥水剤２３の減少が生じても、機能の再現が容易になる。
【００１４】
さらに、一実施形態による水切りワイパー１０の機能剤２２は、無機材料で形成されている担体に担持されている金属イオンを有する。そのため、安価で安全に抗菌剤または抗カビ剤のうち少なくともいずれか一方となる機能剤２２を保持することができる。これとともに、金属イオンを担体に担持することにより、抗菌剤または抗カビ剤となる機能剤２２は徐々に放出され、対象となる面に移行する。したがって、機能剤２２の効果を長期間持続することができる。
【００１５】
以上説明した本発明は、上記実施形態に限定されるものではなく、その要旨を逸脱しない範囲で種々の実施形態に適用可能である。
例えば上記の実施形態では、水切り部材１２は、機能剤２２および撥水剤２３の双方を含む例について説明した。しかし、水切り部材１２は、撥水剤２３を含むことなく、抗菌作用または抗カビ作用のうち少なくともいずれか一方を発揮する機能剤２２だけを含む構成としてもよい。
【符号の説明】
【００１６】
図面中、１０は水切りワイパー、１１は基体、１２は水切り部材、２１は本体、２２は機能剤、２３は撥水剤を示す。
【図１】
2020110225.tif 000003
【図２】
2020110225.tif 000004
【図３】
2020110225.tif 000005